(57)【要約】【課題】異なる２段階の高さが選択できる一方、中間的な高さの物品を収納した場合にも対応でき、しかも簡単な操作で組み立てることのできる紙箱を提案する。【解決手段】直方体形状の紙箱であって、側面板２は、底面板４と天面外フラップ６を連設し、端面板３は、底面板４と天面内フラップ５を連設し、底面折罫線１１と第一天面折罫線１２の間に、第二天面折罫線１３が設けられて、縦折罫線１０と第二天面折罫線の交点を出発点として、側面板および天面外フラップに、略４５°の角度で斜上する折込用折罫線１４が設けられており、端面板および天面内フラップには、略４５°の角度で斜上する山折罫線が設けられており、天面外フラップにおいて、折込用折罫線の先端同士を水平に結ぶ先端チップ折罫線１８が形成されると共に、先端チップ折罫線の両端から天面外フラップの先端に至るミシン目線２１が設けられていることを特徴とする紙箱である。【選択図】図１
2020019543.tif 000002
【特許請求の範囲】
【請求項１】
４枚の底面板で構成される底面と、一対の側面板（長辺）と一対の端面板（短辺）とを備え、側面板の上端縁に天面外フラップを連設し、端面板の上端縁に天面内フラップを連設した直方体形状の紙箱であって、
側面板と端面板は、紙箱の４隅を形成する縦折罫線を介して、それぞれ交互に連設されて、側面接着フラップによって輪状に接着されており、
側面板は、底面折罫線を介してそれぞれ１枚の底面板を連設すると共に、第一天面折罫線を介してそれぞれ１枚の天面外フラップを連設し、
端面板は、底面折罫線を介してそれぞれ１枚の底面板を連設すると共に、第一天面折罫線を介してそれぞれ１枚の天面内フラップを連設し、
底面折罫線と第一天面折罫線の間に、第二天面折罫線が設けられて、前記縦折罫線と第二天面折罫線の交点を出発点として、側面板および天面外フラップに、略４５°の角度で斜上する折込用折罫線が設けられており、端面板および天面内フラップには、前記縦折罫線と第二天面折罫線の交点を出発点として、略４５°の角度で斜上する山折罫線が設けられており、
天面内フラップにおいて、左右から斜上する山折罫線が交わる点から天面内フラップの先端に至る中央切込線が設けられており、
天面外フラップにおいて、前記天面内フラップの山折罫線が交わる点よりも第一天面折罫線から離れた位置に至る前記折込用折罫線の先端同士を水平に結ぶ先端チップ折罫線が形成されると共に、先端チップ折罫線の両端から天面外フラップの先端に至るミシン目線が設けられていることを特徴とする紙箱。
【請求項２】
前記天面外フラップにおいて、第一天面折罫線と先端チップ折罫線との間にあって、左右の折込用折罫線を結ぶ中間水平折罫線が設けられており、その両端から天面外フラップの先端に至る中間垂直折罫線が設けられており、さらに前記第一天面折罫線と折込用折罫線の交点から天面外フラップの先端に至る第一垂直折罫線がそれぞれ設けられていることを特徴とする請求項１に記載の紙箱。
【請求項３】
前記折込用折罫線において、中間水平折罫線との交点から先端チップ折罫線までの間がミシン目線となっていることを特徴とする請求項１または２に記載の紙箱。
【請求項４】
前記天面内フラップにおいて、山折罫線の外側に、これに平行する第二山折罫線を設けたことを特徴とする請求項１〜３のいずれか１項に記載の紙箱。
【発明の詳細な説明】
【技術分野】
【０００１】
本発明は、紙箱に関し、特に内容物の高さに応じて容易に箱の高さを変更することの出来る紙箱に関する。
【背景技術】
【０００２】
段ボール製や厚紙製の紙箱は、各種物品の収納ケースとして広く用いられている。特定の収納物に対する専用の紙箱であれば、収納物に最適なサイズの紙箱を準備することが可能であるが、収納物が不特定で、収納物のサイズが様々である場合には、すべての収納物毎に最適なサイズの紙箱を準備することは、不可能である。
【０００３】
また、物品を収納した紙箱を輸送する場合、紙箱のサイズがまちまちであると、積載効率が悪くなるという問題も生じる。そこで、収納用の紙箱のサイズについては、ある程度の標準化が必要となる。
【０００４】
箱の積載効率を考慮した場合、底面のサイズは一定にして、高さのみを変更することは、積載効率をあまり低下させないので、非常に有効な手段である。
【０００５】
特許文献１に記載された段ボール箱は、高さの高い状態から、その高さの半分程度の低い状態に容易に変更し得るようにした段ボール箱である。この段ボール箱は、底壁と前後左右の側壁とを有する方形の段ボール箱において、各側壁の上下方向中央部又は中央部のやや上側に内側に折り込むための水平折込み線を設け、各水平折込み線の交差部と、水平折込み線から側壁上端までの高さ分だけ角部上端から離間した側壁の上端位置とを結ぶように、少なくとも対向する一対の側壁に傾斜折込み線を一対づつハの字状に設けたことを特徴とする段ボール箱である。
【０００６】
特許文献１に記載された段ボール箱は、例えば引越しの際に運搬用として使用する時は高さの高い、従って容量の大きな状態で使用し、引越し後に保管用として使用する際には、高さを低くして使用するというような用途を想定したものである。このため、高さを低くした場合には、蓋のない箱となるものであり、高さの低い物品を収納して輸送することはできない。
【０００７】
特許文献２に記載された包装箱は、高さを２段階に変更することが可能な包装箱である。この包装箱は、各一対の端壁と側壁を備え、端壁の端縁に内フラップを、側壁の端縁に外フラップを連設した包装箱であって、横方向に連続した端壁および側壁に、横方向に延びる全高調節用折曲線を設けるとともに、各端壁の全高調節用折曲線の両端より内フラップに向けて略４５度の傾斜角で延びる折込用折曲線を設け、各フラップと各壁との境界部分で折り曲げた第１封緘状態と、全高調節用折曲線および折込用折曲線に沿って折り曲げて外フラップで閉塞した、前記第１封緘状態より低い第２封緘状態とを可能としたことを特徴とする包装箱である。
【０００８】
特許文献２に記載された包装箱は、第２封緘状態とすることにより、高さの低い物品を収納して蓋を閉じて輸送することが可能であるが、第１封緘状態か、第２封緘状態かの２段階の高さしか選択することができず、中間的な高さの物品には、対応することができないため、柔軟性に欠けるものであった。
【先行技術文献】
【特許文献】
【０００９】
【特許文献１】実公昭６２−９２１７号公報
【特許文献２】特開２００７−１９７０４７号公報
【発明の概要】
【発明が解決しようとする課題】
【００１０】
本発明の解決しようとする課題は、異なる２段階の高さが選択できる一方、中間的な高さの物品を収納した場合にも対応でき、しかも簡単な操作で組み立てることのできる紙箱を提案するものである。
【課題を解決するための手段】
【００１１】
上記の課題を解決するための手段として、請求項１に記載の発明は、４枚の底面板で構成される底面と、一対の側面板（長辺）と一対の端面板（短辺）とを備え、側面板の上端縁に天面外フラップを連設し、端面板の上端縁に天面内フラップを連設した直方体形状の紙箱であって、側面板と端面板は、紙箱の４隅を形成する縦折罫線を介して、それぞれ交互に連設されて、側面接着フラップによって輪状に接着されており、側面板は、底面折罫線を介してそれぞれ１枚の底面板を連設すると共に、第一天面折罫線を介してそれぞれ１枚の天面外フラップを連設し、端面板は、底面折罫線を介してそれぞれ１枚の底面板を連設すると共に、第一天面折罫線を介してそれぞれ１枚の天面内フラップを連設し、底面折罫線と第一天面折罫線の間に、第二天面折罫線が設けられて、前記縦折罫線と第二天面折罫線の交点を出発点として、側面板および天面外フラップに、略４５°の角度で斜上する折込用折罫線が設けられており、端面板および天面内フラップには、前記縦折罫線と第二天面折罫線の交点を出発点として、略４５°の角度で斜上する山折罫線が設けられており、天面内フラップにおいて、左右から斜上する山折罫線が交わる点から天面内フラップの先端に至る中央切込線が設けられており、天面外フラップにおいて、前記天面内フラップの山折罫線が交わる点よりも第一天面折罫線から離れた位置に至る前記折込用折罫線の先端同士を水平に結ぶ先端チップ折罫線が形成されると共に、先端チップ折罫線の両端から天面外フラップの先端に至るミシン目線が設けられていることを特徴とする紙箱である。
【００１２】
本発明に係る紙箱は、高さの異なる２本の天面折罫線を備えたことにより、２段階の高さの箱を実現すると共に、天面外フラップを３角形状に折り込むことにより、中間的な高さの物品をも収納することが可能となった。
【００１３】
また、請求項２に記載の発明は、前記天面外フラップにおいて、第一天面折罫線と先端チップ折罫線との間にあって、左右の折込用折罫線を結ぶ中間水平折罫線が設けられており、その両端から天面外フラップの先端に至る中間垂直折罫線が設けられており、さらに前記第一天面折罫線と折込用折罫線の交点から天面外フラップの先端に至る第一垂直折罫線がそれぞれ設けられていることを特徴とする請求項１に記載の紙箱である。
【００１４】
また、請求項３に記載の発明は、前記折込用折罫線において、中間水平折罫線との交点から先端チップ折罫線までの間がミシン目線となっていることを特徴とする請求項１または２に記載の紙箱である。
【００１５】
また、請求項４に記載の発明は、前記天面内フラップにおいて、山折罫線の外側に、これに平行する第二山折罫線を設けたことを特徴とする請求項１〜３のいずれか１項に記載の紙箱である。
【発明の効果】
【００１６】
本発明に係る紙箱は、天面フラップの折位置である天面折罫線を２本備えたことにより、異なる２段階の高さの箱を実現することができる。また、どちらの高さを選択するかは、天面フラップの折り方次第で、どちらにも容易に切り替えることができる。
【００１７】
低い高さを選択する場合、天面外フラップを折り返して、３角形状にするようにしたので、単純に低い位置で折った場合に比較して、天面フラップの余りが目立たず外観が綺麗に仕上がる。また、中間的な高さの物品を収納した場合でも、綺麗に梱包することが可能である。
【００１８】
請求項２に記載の発明のように、天面外フラップにおいて、第一天面折罫線と先端チップ折罫線との間にあって、左右の折込用折罫線を結ぶ中間水平折罫線が設けられており、その両端から天面外フラップの先端に至る中間垂直折罫線が設けられており、さらに前記第一天面折罫線と折込用折罫線の交点から天面外フラップの先端に至る第一垂直折罫線がそれぞれ設けられていることにより、低い高さにするために、天面外フラップを折り込んだ時に、三角形状に折り込まれた天面外フラップに水平な折罫線が２本存在するため、中間的な高さの物品を収納した場合の天面外フラップの収まりがより良くなる。
【００１９】
請求項３に記載の発明のように、折込用折罫線において、中間水平折罫線との交点から先端チップ折罫線までの間がミシン目線となっている場合においては、低い高さを実現するために、天面外フラップを折り返す時の作業がやり易くなる。
【００２０】
請求項４に記載の発明のように、天面内フラップにおいて、山折罫線の外側に、これに平行する第二山折罫線を設けた場合には、中間的な高さの物品を収納した場合の天面内フラップの収まりが良くなり、より綺麗な荷姿が実現できる。
【図面の簡単な説明】
【００２１】
【図１】図１は、本発明に係る紙箱の一実施態様を示した斜視図であり、箱の高さの高い状態を示したものである。
【図２】図２は、図１に示した紙箱のブランクを示した平面模式図である。
【図３】図３は、図１の状態から天面外フラップの折込用折罫線を折り込んで、箱の高さの低い状態に移行させる途中の状態を示した斜視説明図である。
【図４】図４は、図１に示した紙箱を、箱の高さの低い状態に組み直したところを示した斜視図である。
【図５】図５は、図４に示した状態の紙箱に、多少高さの高い物品を収納して、天面フラップを閉じた時の状態を示した斜視説明図である。
【発明を実施するための形態】
【００２２】
以下図面を参照しながら、本発明に係る紙箱について詳細に説明する。図１は、本発明に係る紙箱の一実施態様を示した斜視図であり、箱の高さの高い状態を示したものである。図２は、図１に示した紙箱のブランクを示した平面模式図である。
【００２３】
本発明に係る紙箱１は、４枚の底面板４、４、４、４で構成される底面と、箱の側面の長辺を形成する一対の側面板２、２と、箱の側面の短辺を形成する一対の端面板３、３とを備え、２枚の側面板２の上端縁にそれぞれ天面外フラップ６を連設し、２枚の端面板３の上端縁にそれぞれ天面内フラップ５を連設した直方体形状の紙箱である。
【００２４】
側面板２と端面板３は、紙箱の４隅を形成する縦折罫線１０、１０、１０、１０を介して、それぞれ交互に連設されて、側面接着フラップ２ａによって輪状に接着されている。
【００２５】
側面板２は、底面折罫線１１を介してそれぞれ１枚の底面板４を連設すると共に、第一天面折罫線１２を介してそれぞれ１枚の天面外フラップ６を連設している。端面板３は、底面折罫線１１を介してそれぞれ１枚の底面板４を連設すると共に、第一天面折罫線１２を介してそれぞれ１枚の天面内フラップ５を連設している。
【００２６】
底面折罫線１１と第一天面折罫線１２の間に、第二天面折罫線１３が設けられて、縦折罫線１０と第二天面折罫線１３の交点を出発点として、側面板２および天面外フラップ６に、略４５°の角度で斜上する折込用折罫線１４が設けられている。
【００２７】
同様に端面板３および天面内フラップ５には、縦折罫線１０と第二天面折罫線１３の交点を出発点として、略４５°の角度で斜上する山折罫線１５が設けられている。天面内フラップ５において、左右から斜上する山折罫線１５同士が交わる点から天面内フラップ５の先端に至る中央切込線８が設けられている。
【００２８】
一方、天面外フラップ６においては、天面内フラップ５の山折罫線１５同士が交わる点よりも第一天面折罫線１２から離れた位置に至る折込用折罫線１４の先端同士を水平に結ぶ先端チップ折罫線１８が形成されると共に、先端チップ折罫線１８の両端から天面外フラップ６の先端に至るミシン目線２１が設けられている。
【００２９】
図１、図２に示した実施態様においては、底面がワンタッチ式になっていて、底面接着フラップ４ａを予め端面板３に連設された底面板４に接着しておくことにより、簡単に組み立てることができる。しかしながら底面の形式については、これに限ることなく、任意である。
【００３０】
本発明に係る紙箱１を、高さの高い状態に組み立てる時には、図１に示したように、第一天面折罫線１２を折り、天面内フラップ５と天面外フラップ６とで天面を構成することにより、一般的な直方体形状の箱ができる。
【００３１】
本発明に係る紙箱１を、高さの低い状態に組み立てる時には、まず天面外フラップ６の４箇所のミシン目線２１を切る。次いで図３に示したように、側面板２を第二天面折罫線１３において逆方向に折って天面外フラップ６を開くと同時に、端面板３も第二天面折罫線１３において山折する。この時、天面外フラップ６の折込用折罫線１４が自動的に折られて、天面外フラップ６の左右の角部が内側に折り込まれる。
【００３２】
最後に三角形状に折り込まれた天面外フラップ６を内側に折れば、図４に示したような状態になる。２つの天面外フラップ６のいずれかの一方の先端チップ７が、外側に被さることになる。なお先端チップ７は、先端チップ折罫線１８と左右２本のミシン目線２１で囲まれた長方形状の部分である。
【００３３】
天面外フラップ６の折込用折罫線１４を折り込む作業において、折込用折罫線１４において、後に説明する中間水平折罫線１７との交点から先端チップ折罫線１８までの間を、単なる折罫線ではなくミシン目線２２にしておくことにより、この部分を破ることで、折込み作業が、よりやり易くなる。
【００３４】
天面外フラップ６の折り込み作業をやり易くするために、折込用折罫線１４は、単なる折罫線ではなく、切断線を含めたいわゆる半切れ線とするのが好ましい。また、側面板３における第二天面折罫線１３も、同様に半切れ線または逆折罫線とするのが好ましい。
【００３５】
また、箱の組み立てを容易にするために、底面板４における底面接着フラップ４ａの折
罫線や、底面折罫線１１を半切れ線としても良い。
【００３６】
図５は、図４に示した状態の紙箱に、多少高さの高い物品を収納して、天面フラップを閉じた時の状態を示した斜視説明図である。本発明に係る紙箱１は、高さの低い状態に組み直した段階で、天面外フラップ６が三角形状に折り畳まれているために、中央部の高さの高い物品を収納した場合にも、天面フラップを綺麗に閉じることができる。
【００３７】
この時、天面外フラップ６において、第一天面折罫線１２と先端チップ折罫線１８との間にあって、左右の折込用折罫線１４を結ぶ中間水平折罫線１７が設けられており、その両端から天面外フラップ６の先端に至る中間垂直折罫線２０が設けられており、さらに第一天面折罫線１２と折込用折罫線１４の交点から天面外フラップ６の先端に至る第一垂直折罫線１９がそれぞれ設けられていることにより、三角形状に折り畳んだ天面外フラップ６を水平方向の折罫線によって垂直方向に２段階に折り曲げることが可能となる。
【００３８】
また、天面内フラップ５も、中央切込線８を備えており、第一天面折罫線１２において垂直方向に折り曲げることが可能であるし、山折罫線１５も備えているので、これらの折罫線を適宜折ることで、中間的な高さの物品を収納した場合であっても、天面をこれに沿わせるように綺麗に覆う事が可能となるのである。
【００３９】
なお、天面内フラップ５において、山折罫線１５の外側に、これに平行する第二山折罫線１６を設けることにより、特に中央部が盛り上がっているような物品に対する追従性がさらに高まる。
【００４０】
以上のように、本発明に係る紙箱は、異なる２段階の高さを選択することが容易に可能であるばかりでなく、中間的な高さの物品を収納した場合であっても、綺麗な荷姿を演出することが可能であり、紙箱としての価値の高いものである。
【００４１】
本発明に係る紙箱に使用する材料としては、一般的な段ボール紙や各種厚紙を用いることができる。
【符号の説明】
【００４２】
１・・・紙箱
１Ｂ・・・ブランク
２・・・側面板
２ａ・・・側面接着フラップ
３・・・端面板
４・・・底面板
４ａ・・・底面接着フラップ
５・・・天面内フラップ
６・・・天面外フラップ
７・・・先端チップ
８・・・中央切込線
１０・・・縦折罫線
１１・・・底面折罫線
１２・・・第一天面折罫線
１３・・・第二天面折罫線
１４・・・折込用折罫線
１５・・・山折罫線
１６・・・第二山折罫線
１７・・・中間水平折罫線
１８・・・先端チップ折罫線
１９・・・第一垂直折罫線
２０・・・中間垂直折罫線
２１・・・ミシン目線
２２・・・ミシン目線
【図１】
2020019543.tif 000003
【図２】
2020019543.tif 000004
【図３】
2020019543.tif 000005
【図４】
2020019543.tif 000006
【図５】
2020019543.tif 000007